(57)【特許請求の範囲】
【請求項１】
遠隔絶縁操作棒の外面に接着を伴い装着される筒部と、この筒部から傘型に外方斜め下に向け延びる水切りスカート部と、を有し、筒部の内周を遠隔絶縁操作棒の外面への接着面とした絶縁鍔において、筒部及び水切りスカート部を周方向適数か所にて厚み方向に屈曲した経路で切り離し、その切り離し部で対向し合う端面どうしを互いの接着面とし、
切り離し部は、筒部及び水切りスカート部共に、周方向の他の部分よりも増厚したことを特徴とする、絶縁鍔。
【請求項２】
遠隔絶縁操作棒の外面に接着を伴い装着される筒部と、この筒部から傘型に外方斜め下に向け延びる水切りスカート部と、を有し、筒部の内周を遠隔絶縁操作棒の外面への接着面とした絶縁鍔において、筒部及び水切りスカート部を周方向適数か所にて切り離し、その切り離し部で対向し合う端面どうしを互いの接着面とし、
前記筒部は、その内周に、遠隔絶縁操作棒の外面に環状に設けられる位置決め凸条に嵌り合う凹条が環状に形成されたことを特徴とする、絶縁鍔。
【請求項３】
水切りスカート部の内周の周方向複数か所に軸線方向の補強リブを先端側から基部に向け形成した、請求項１又は請求項２に記載の絶縁鍔。
【請求項４】
限界及び水切りのために、遠隔絶縁操作棒の外面に、軸直角方向から装着されて環状形態にされる筒部と、前記筒部の下部から截頭円錐状に外方斜め下に向け延びる水切りスカート部と、を有し、
筒部及び水切りスカート部は、弾性的な変形と復元とを繰り返す絶縁材料よりなり、
筒部は、内周面を遠隔絶縁操作棒の外面に略々密着する凹面として形成され、
筒部及び水切りスカート部は、周方向において適数か所にて切り離され、その切り離し部の対向し合う端面どうしを互いの接し合う面とされ、
切り離し部で分割されてなる分割体は、それぞれ筒部及び水切りスカート部を備え、
分割体は、一方の第１接合面と他方の第２接合面とを備え、
一方の第１接合面は、柱状ダボを備え、
他方の第２接合面は、分割された分割体を接合面において接し合わせたときに、前記柱状ダボと密嵌するダボ穴を備えた、絶縁鍔。
【請求項５】
切り離し部で分割されてなる第１分割体及び第２分割体は、それぞれ筒部及び水切りスカート部を備え、
第１分割体及び第２分割体は、略々同一の形状であって、
一方の第１接合面と他方の第２接合面とを備え、
一方の第１接合面は、柱状ダボ及び／又は接合凹条を備え、他方の第２接合面は、第１分割体と第２分割体とを接合面において接し合わせたときに、前記柱状ダボ及び／又は接合凹条と接し合わされるダボ穴及び／又は接合凸条を備えた、請求項４に記載の絶縁鍔。
【請求項６】
請求項１〜５のいずれか１項に記載の絶縁鍔は、これを切り離し部の接合面において接し合わせ、筒部の内面において遠隔絶縁操作棒の外面に絶縁限界鍔や水切り鍔として接着を伴い装着した、絶縁鍔を用いたことを特徴とする、遠隔絶縁操作具。
【発明の詳細な説明】
【技術分野】
【０００１】
本発明は、遠隔絶縁操作具の鍔とこれを用いた遠隔絶縁操作具に関し、主として、高圧線、特別高圧線などの架線に対し、ホットプラー工事やリード接続工事などの各種絶縁間接活線工法を行う遠隔絶縁操作具の絶縁鍔と、これを用いた遠隔絶縁操作具に関する。
【背景技術】
【０００２】
このような作業に利用できる遠隔絶縁操作具としては、下記特許文献１〜７などが開示している。これらの遠隔絶縁操作具は、先端に作業具を備え、架線の支持具や掴線器、張線器、引き分け器、架線間隔拡張器といった作業具に対する把持、回転の作業、架線に対するリード線接続などの器具取り付け、同器具の操作などを遠隔から上向きに行う長尺な棒状作業具となる。従って、遠隔絶縁操作棒上は、手元のグリップ部や操作ハンドル、操作レバーなどと、先端の作業具との間に絶縁構造を設ければ感電に対する安全が図れる。
【０００３】
しかし、いずれの特許文献に記載の遠隔絶縁操作棒も、架線などの作業対象からの絶縁限界位置を示し、握り手が同位置を超えるのを阻止する傘型の絶縁限界鍔、及び、この絶縁限界鍔からさらに先端寄りの位置に、作業中に遠隔絶縁操作棒の先端側から伝い落ちる雨水を遠隔絶縁操作棒の外面から広がる傘型面に伝わせて、遠隔絶縁操作棒の外面から離れた位置で水切りする水切り鍔、を設けることで、感電に対するさらなる安全を図っている。また、絶縁限界鍔も水切り鍔同様の形態をなし、遠隔絶縁操作棒の表面を伝い落ちてくる雨水に対し同様の作用を発揮するようにしている。
【０００４】
また、絶縁限界鍔、水切り鍔は、いずれも、その役目上ゴム等の絶縁材料よりなり、環状で、遠隔絶縁操作棒の外面との間は接着されることで、雨水などが上部から下部に浸み通らないようにして、雨水の浸み通りにより万一にも感電事故が生じるのを防止するようにしている。
【先行技術文献】
【特許文献】
【０００５】
【特許文献１】特開２０００−０１３９４３号公報
【特許文献２】特開２００９−０５００５２号公報
【特許文献３】特開２００９−０５００５３号公報
【特許文献４】特開２００９−１５７３２１号公報
【特許文献５】特開２０１０−０８２７８０号公報
【特許文献６】特開２０１０−１７８４６２号公報
【特許文献７】特開２０１０−２３９８３９号公報
【発明の概要】
【発明が解決しようとする課題】
【０００６】
ところで、ゴム製の絶縁限界鍔、水切り鍔は、耐候性が低く経年的に変質、劣化し、遂にはひび割れる。ひび割れは雨水の浸み通りを許してしまうので、感電事故の原因になる。そこで、ひび割れたゴム製の絶縁限界鍔、水切り鍔は交換し、寿命の長い遠隔絶縁操作棒を使い続けられている。
【０００７】
しかし、ひび割れた絶縁限界鍔、水切り鍔は、環状でも適数か所を切り離して遠隔絶縁操作棒から剥がし取ればよいが、新しい絶縁限界鍔、水切り鍔を遠隔絶縁操作棒に再装着するには、例えば先端の作業具など邪魔になる艤装物との連結を外したり、取付を外したりすることが必須となり、交換後はそれらの再連結、再取付も必須となるので、作業に手間が掛かる。
【０００８】
本発明は、上記のような問題点に鑑み、交換時の再装着が艤装物をそのままにして簡単に行える、遠隔絶縁操作具の鍔とこれを用いた遠隔絶縁操作具を提供することを目的とする。
【課題を解決するための手段】
【０００９】
上記の課題を解決するために、本発明の遠隔絶縁操作具の絶縁鍔は、遠隔絶縁操作棒の外面に接着を伴い装着される筒部と、この筒部から傘型に外方斜め下に向け延びる水切りスカート部と、を有し、筒部の内周を遠隔絶縁操作棒の外面への接着面とした絶縁鍔において、筒部及び水切りスカート部を周方向適数か所にて切り離し、その切り離し部で対向し合う端面どうしを互いの接着面としたことを特徴としている。
【００１０】
このような構成では、切り離し部が複数であれば、それによる分割体を寄せ合わせるようにして遠隔絶縁操作棒の外まわりに軸直角方向から筒部を沿わせて環状形態にさせられる。また、切り離し部が1つの連続体であっても、切り離し部を弾性的に開くことにより遠隔絶縁換作棒に軸直角方向から嵌め合わせてから弾性的に復元させれば、遠隔絶縁操作棒の外面に筒部を沿わせて環状形態にすることができる。
【００１１】
したがって、いずれの場合も、筒部の内周の接着面と、切り離し部で対向し合う接着面とに接着剤を塗布しておけば、筒部及び水切りスカート部を環状に一体化して、筒部を遠隔絶縁操作棒の外面に接着した装着状態とすることができる。
【００１２】
上記において、さらに、切り離しは、厚み方向に屈曲した経路でなしたものとすることができる。
【００１３】
このような構成では、上記に加え、さらに、筒部及び水切りスカート部の外面から内面に屈曲した切り離し経路が、万一の部分的な接着剥離が雨水の外部からの浸み通り原因になっても、経路の迷路化、厚みを上回った延長化により、遠隔絶縁操作棒の外面に至るのを抑えられる。
【００１４】
上記において、さらに、切り離し経路は、外面から内面側に向けてクランク型部分を有し、外面から第1の屈曲部と第2の屈曲部との間の切り離し経路入り口で、経路外面側が経路内面側よりも薄肉の舌状蓋片をなしたものとすることができる。
【００１５】
このような構成では、上記に加え、さらに、舌状蓋片は薄肉であることにより、経路入り口での経路内面側に馴染み性よく接着されて、外力を受けても単独に応動することなく厚肉の経路内側部分と一体化した弾性作用にて吸収することができる。
【００１６】
上記において、さらに、切り離し部は、筒部及び水切りスカート部共に、周方向の他の部分よりも増厚したものとすることができる。
【００１７】
このような構成では、上記に加え、さらに、切り離し部が、筒部及び水切りスカート部において、周方向の他の部分よりも増厚されていることにより、切り離し経路長を増厚に比例して増大させられるし、変形強度も高まる。
【００１８】
上記において、さらに、水切りスカート部の内周の周方向複数か所に軸線方向の補強リブを先端側から基部に向け形成したものとすることができる。
【００１９】
このような構成では、上記に加え、さらに、水切りスカート部は、遠隔絶縁操作棒の外面からの張り出しにより外力を受けて、弾性的な変形と復元とを繰り返し、その変形基部に応力を受けやすいのを、軸線方向に向く補強リブによって弾性変形量を抑えられ、結果、必要復元量も抑えられる。
【００２０】
上記において、さらに、筒部は、その内周に、遠隔絶縁操作棒の外面に環状に設けられる位置決め凸条に嵌り合う凹条が環状に形成されたものとすることができる。
【００２１】
このような構成では、周方向適数か所が切り離されて、筒部及び水切りスカート部が軸方向に連続した、周方向の連続体や分割体を遠隔絶縁操作棒の外面に装着するのに、筒部内周の環状な凹条を、遠隔絶縁操作棒の外面の環状な凸条に嵌め合わせることにより、切り離し部での軸方向の位置合わせがなされる。また、絶縁限界鍔や水切り鍔としての装着位置を、絶縁鍔の遠隔絶縁操作棒毎に位置決めすることもできる。
【００２２】
上記いずれか1つの絶縁鍔は、これを切り離し部の接着、内面の遠隔絶縁操作棒の外面に絶縁限界鍔や水切り鍔として接着を伴い装着した絶縁鍔を用いたことを特徴とする遠隔絶縁操作具をも提供する。
【発明の効果】
【００２３】
本発明の絶縁鍔によれば、切り離しによる分割体は互いを遠隔絶縁操作棒の外面まわりに寄せ合わせ、連続体は、弾性的に開いて遠隔絶縁操作棒の外面まわりに嵌め合わせて復元させて、遠隔絶縁操作棒の外面に他の艤装物があっても邪魔されずに軸直角方向から筒部を沿わせられ、切り離し部の接着、筒部内面の遠隔絶縁操作棒外面への接着を伴い、一体の環状体として装着でき、ゴム製で耐候寿命などにより交換するのが容易かつ短時間に行えるようになる。切り離し部や遠隔絶縁操作棒の外面との間が、雨水の浸み通り経路になることはなく、絶縁限界鍔や水切り鍔として機能する。
【００２４】
上記に加え、さらに、筒部及び水切りスカート部の外面から内面への切り離し経路は、その屈曲形態による迷路化と、厚みを超えた延長化とで、万一の部分的な接着剥離時に雨水の外部から浸み通り原因になっても、遠隔絶縁操作棒の外面に到達するのを抑え、筒部内面と遠隔絶縁操作棒の外面との間から下方に浸み通る確率を低減させられる。
【００２５】
上記に加え、さらに、切り離し経路の外面からのクランク型部分にて切り離し経路入り口に形成した薄肉の舌状蓋片が、薄肉としたことにより、経路入り口での経路内面側に馴染み性よく接着されて、外力を受けても単独に応動することなく厚肉の経路内側部分と一体化した弾性作用にて吸収し、経路入り口の接着が剥離するのを防止し、耐久性が向上する。
【００２６】
上記に加え、さらに、切り離し部が、筒部及び水切りスカート部共に周方向の他の部分よりも増厚されて、切り離し経路長の増大により雨水の外面から内面への浸みこみを防止しやすいし、変形強度の高まりにより接着の剥離が生じにくく耐久性が向上する。
【００２７】
上記に加え、さらに、水切りスカート部は、外力を受けて弾性的な変形と復元とを繰り返し、この変形の基部に応力を受けやすいが、軸線方向に向く補強リブによって変形量、必要復元量併せ抑えられるので、耐久性を向上させられる。
【００２８】
上記に加え、さらに、周方向適数か所が切り離された、周方向の連続体や分割体を遠隔絶縁操作棒の外面に装着するのに、筒部内周の環状な凹条を、遠隔絶縁操作棒の外面の環状な凸条に嵌め合わせることにより、切り離し部での軸方向の位置合わせがなされるので食い違いなしに手際よく装着できる。また、絶縁限界鍔や水切り鍔としての装着位置を、絶縁鍔の遠隔絶縁操作棒毎に位置決めされるので装着位置を特別な計測なしに適正化できる。
【００２９】
この発明の上述の目的，その他の目的，特徴及び利点は、図面を参照して行う以下の発明を実施するための最良の形態の説明から一層明らかとなろう。
本発明の各特徴は、それ単独で、あるいは可能な限り複合して採用することができる。
【図面の簡単な説明】
【００３０】
【図１】本発明の実施の形態に係る絶縁鍔とこれを用いた遠隔絶縁操作具の１つの具体例を絶縁鍔を断面して見た側面図である。
【図２Ａ】本発明の実施の形態に係る絶縁鍔の別の具体例を示す２つ割分割体の図であり、（ａ）は２つ割分割体の１つを内側から見た正面図、（ｂ）は同分割体の縦断面図、（ｃ）は２つ割分割体の２つを対向させて見た下面図である。
【図２Ｂ】本発明の実施の形態に係る絶縁鍔の部分拡大図解図である。
【図３Ａ】本発明の実施の形態に係る２つ割分割体の２つを対向させて見た図であり、（ａ）は平面図、（ｂ）は横断面図である。
【図３Ｂ】本発明の実施の形態に係る絶縁鍔の部分拡大図解図である。
【図４】本発明の別の実施の形態に係る鍔の斜視図解図であり、（Ａ）は一方の鍔の分割体を示す斜視図解図であり、（Ｂ）は他方の鍔の分割体を示す斜視図解図である。
【図５】本発明の別の実施の形態に係る鍔の２つ割分割体の１つを内側から見た正面図解図である。
【図６】本発明の別の実施の形態に係る鍔の２つ割分割体の縦断面図解図である。
【図７】本発明の別の実施の形態に係る鍔の底面図解図である。
【図８】本発明の別の実施の形態に係る鍔の平面図解図である。
【図９】接合面にシボを形成した状態を示す正面図解図である。
【図１０Ａ】本発明の実施の形態に係る遠隔絶縁操作具の側面図解図である。
【図１０Ｂ】本発明の別の実施の形態に係る遠隔絶縁操作具の側面図解図である。
【図１１】図５図示鍔の変形例の正面図解図である。
【図１２】本発明の更に別の実施の形態に係る鍔の図解図であり、（Ａ）は斜視図解図であり、（Ｂ）は平面図解図であり、（Ｃ）は縦断面図解図である
【図１３】本発明の更に別の実施の形態に係る鍔の図解図であり、（Ａ）は斜視図解図であり、（Ｂ）は平面図解図であり、（Ｃ）は正面図解図である
【図１４】本発明の更に別の実施の形態に係る鍔の図解図であり、（Ａ）は斜視図解図であり、（Ｂ）は正面図解図であり、（Ｃ）は縦断面図解図である
【発明を実施するための形態】
【００３１】
本発明の実施の形態に係る絶縁鍔及びそれを用いた遠隔絶縁操作具について、図１〜図３を参照しながら具体的に説明し、本発明の理解に供する。以下の説明は本発明の具体例であって、特許請求の範囲の記載事項を限定するものではない。
【００３２】
本実施の形態の絶縁鍔は、図１に示す例、図２、図３の例に示すように、遠隔絶縁操作棒１００の外面に接着を伴い装着される筒部１と、この筒部１から傘型に外方斜め下に向け延びる水切りスカート部２と、を有し、筒部１の内周を遠隔絶縁操作棒１００の外面への接着面３とする基本構成を有している。筒部１及び水切りスカート部２を、図１に示す例の絶縁鍔２００での１か所、図２、図３に示す例の絶縁鍔３００での２か所など、周方向適数か所にて切り離し、その切り離し部４で対向し合う端面どうしを互いの接着面としている。
【００３３】
切り離し部４が図２、図３に示す絶縁鍔３００のように複数であれば、それによる２つ割りなどした分割体３００ａ、３００ａを寄せ合わせるようにして遠隔絶縁操作棒１００の外まわりに軸直角方向から筒部１を沿わせて環状形態にさせられる。また、切り離し部４が図１に示す絶縁鍔２００のように１つの連続体２００ａであっても、切り離し部４を弾性的に開くことにより遠隔絶縁操作棒１００に軸直角方向から嵌め合わせてから弾性的に復元させれば、遠隔絶縁操作棒１００の外面に筒部１を沿わせて環状形態にすることができる。
【００３４】
このように、いずれの場合も、つまり、切り離し箇所数にかかわらず筒部１の内周の接着面３と、切り離し部４で対向し合う接着面５とに接着剤を塗布しておけば、筒部１及び水切りスカート部２を環状に一体化して、筒部1を遠隔絶縁操作棒１００の外面に接着した装着状態とすることができる。
【００３５】
したがって、切り離しによる分割体３００ａは互いを遠隔絶縁操作棒１００の外面まわりに、図２（ｃ）、図３（ａ）（ｂ）に示す矢印Ａの方向に寄せ合わせることにより、連続体２００ａは、弾性的に開いて遠隔絶縁操作棒１００の外面まわりに嵌め合わせて図1に示すように復元させることにより、遠隔絶縁操作棒１００の外面に他の艤装物があっても邪魔されずに軸直角方向から筒部1を沿わせられる。切り離し部４の接着、筒部１内面の遠隔絶縁操作棒１００外面への接着を伴い、図1で代表して示すように一体の環状体である絶縁鍔２００、３００として装着でき、従来通りのゴム製として対候寿命などにより交換するのが容易かつ短時間に行えるようになる。切り離し部４や遠隔絶縁操作棒１００の外面との間が、雨水の浸み通り経路になることはなく、絶縁限界鍔や水切り鍔として機能する。
【００３６】
切り離しは、図２、図３の絶縁鍔３００が例示し、図２（ｃ）に仮想線で示すように、厚み方向に屈曲した切り離し経路１１でなしたものとすることができる。このように、筒部１及び水切りスカート部２の外面から内面に屈曲した切り離し経路１１が、万一の部分的な接着剥離が雨水の外部からの浸み通り原因になっても、切り離し経路１１の迷路化、厚みを上回った延長化により、遠隔絶縁操作棒１００の外面に至るのを抑えられる。
【００３７】
したがって、筒部１及び水切りスカート部２の外面から内面への切り離し経路１１は、その屈曲形態による迷路化と、厚みを超えた延長化とで、万一の部分的な接着剥離時に雨水の外部から浸み通り原因になっても、遠隔絶縁操作棒１００の外面に到達するのを抑え、筒部1内面と遠隔絶縁操作棒１００の外面との間から下方に浸み通る確率を低減させられる。
【００３８】
図２、図３の絶縁鍔３００の切り離し経路１１は、外面から内面側に向けてクランク型部分１１ａを有し、クランク型部分１１ａは、外面から第１の屈曲部１１ｂと第２の屈曲部１１ｃとの間の切り離し経路入り口１１ｄを有している。
切り離し経路１１は、前記クランク型部分１１ａと接し合わされる舌状蓋片３００ｃを有している。
舌状蓋片３００ｃは、経路外面側が経路内面側３００ｂよりも薄肉の舌状をなしたものとし、舌状蓋片３００ｃの経路外面側とクランク型部分１１ａの経路外面側とが接している。
【００３９】
このように形成された舌状蓋片３００ｃは薄肉であることにより、経路入り口１１ｄでの経路内面側に馴染み性よく接着されて、外力を受けても単独に応動することなく厚肉の経路内側部分と一体化した弾性作用にて吸収することができる。このような外力の弾性的な吸収により、経路入り口１１ｄの接着が剥離するのを防止するので、耐久性が向上する。
【００４０】
また、図２、図３の絶縁鍔３００の切り離し部４は、筒部1及び水切りスカート部２共に、周方向の他の部分の厚みｔ１よりも増厚したｔ２としている。このように、切り離し部４が、筒部1及び水切りスカート部２において、周方向の他の部分よりも増厚されていることにより、切り離し経路１１の長さを増厚に比例して増大させられるし、変形強度も高まる。切り離し経路長の増大により雨水の外面から内面への浸みこみを防止しやすいし、変形強度の高まりにより接着の剥離が生じにくく耐久性が向上する。
【００４１】
切り離し部４の対向し合う接着面５どうしの一方には、接続用のダボ１２を軸方向複数か所に一体形成し、他方には、前記ダボ１２と嵌り合う接続用のダボ穴１３を凹部状に形成している。切り離し部４を接着により接続するのに、これらダボ１２及びダボ穴１３の接着剤を介した嵌め合いを行うことで、切り離し部４での面滑りを防止してしかも接着強度を高められるので、位置ずれ及びそれによる接着不良を回避し、耐久性を高められる。
【００４２】
さらに、水切りスカート部２の内周の周方向複数か所に、図２に示すような軸線方向の補強リブ１４を先端側から基部１５に向け形成してある。水切りスカート部２は、遠隔絶縁操作棒１００の外面からの張り出しにより外力を受けて、弾性的な変形と復元とを繰り返し、その変形の基部１５に応力を受けやすいのを、軸線方向に向く補強リブ１４によって弾性変形量を抑えられ、結果、必要復元量も抑えられ耐久性が向上する。
【００４３】
また、図１の絶縁鍔２００、図２、図３の絶縁鍔３００の筒部１は、その内周に、遠隔絶縁操作棒１００の外面に環状に設けられる図１に示すような位置決め凸条１０１に嵌り合う凹条１６を環状に形成している。周方向適数か所が切り離されて、筒部１及び水切りスカート部２が軸方向に連続した、周方向の連続体２００ａや分割体３００ａを遠隔絶縁操作棒１００の外面に装着するのに、筒部１内周の環状な凹条１６を、遠隔絶縁操作棒１００の外面の環状な位置決め凸条１０１に嵌め合わせることにより、切り離し部４での軸方向の位置合わせがなされる。また、絶縁限界鍔や水切り鍔としての装着位置を、絶縁鍔２００、３００の遠隔絶縁操作棒１００毎に位置決めすることもできる。
【００４４】
結果、周方向適数か所が切り離された、周方向の連続体２００ａや分割体３００ａを遠隔絶縁操作棒１００の外面に装着するのに、筒部１内周の環状な凹条１６を、遠隔絶縁操作棒１００の外面の環状な位置決め凸条１０１に嵌め合わせることにより、切り離し部４での軸方向の位置合わせがなされるので食い違いなしに手際よく装着できる。また、絶縁限界鍔や水切り鍔としての装着位置を、絶縁鍔２００、３００の遠隔絶縁操作棒１００毎に位置決めされるので装着位置を特別な計測なしに、送電電圧の違いなどによって違う絶縁限界距離に適正に対応できる。
【００４５】
上記のような絶縁鍔２００、３００は、これを切り離し部４の接着、内面の遠隔絶縁操作棒１００の外面に絶縁限界鍔や水切り鍔として接着を伴い装着した、図１に示すような遠隔絶縁操作棒４００をも提供している。
【００４６】
なお、遠隔絶縁操作棒４００は、FRPなどの絶縁部材よりなり操作先と手元側との感電に対する安全が図られるが、絶縁鍔２００、３００もゴム等の絶縁材料よりなるので、位置決め凸条１０１は、金属や樹脂など剛性の高いものを採用して遠隔絶縁操作棒１００の外面にねじ止めなどして、位置決め強度、耐久性を優先して設けるのが好適である。接着剤としてはエポキシ系など従来から使用されるものでよいが、絶縁鍔２００、３００は遠隔絶縁操作棒１００の外面に軸方向にスライドさせて所定位置に装着するのでなく、軸直角方向から装着して接着できるので、いわゆる瞬間性接着機能のある接着でも問題なく適用できる。
【００４７】
また、遠隔絶縁操作棒１００としては、先端にナットやボルトを締結、締結解除する回転工具を設けたもの、ヤットコ類の把持工具を設けたもの、引っ掛け具を設けたもの、その他の作業具を設けたものなど、既に知られる各種の作業用に本発明は適用される。
【００４８】
更に、本発明の別の実施の形態に係る絶縁鍔及びそれを用いた遠隔絶縁操作具について、図４〜図１１を参照しながら具体的に説明する。以下の説明は、本発明の具体例であって、特許請求の範囲の記載事項を限定するものではない。
【００４９】
本実施の形態の絶縁鍔５００は、図４に示すように、円柱状の遠隔絶縁操作棒１００の外面に接着を伴い装着される筒部５０１と、この筒部５０１の下部から外方斜め下に向け延びる傘型の水切りスカート部５０２と、を有し、筒部５０１の内周面を円柱状の遠隔絶縁操作棒１００の外面への接着面５０３とする基本構成を有している。
【００５０】
遠隔絶縁操作棒１００の円柱面に接し合う接着面５０３は、円筒状凹面に形成されており、遠隔絶縁操作棒１００の円柱面に略々密着するように遠隔絶縁操作棒１００と略々同一の径を有する円柱凹面（真円）を備える。
この実施の形態においては、接着面５０３は、シボを刻設されたシボ面で構成され、遠隔絶縁操作棒１００の円柱面との接着性を良くしている。
【００５１】
筒部５０１は、外周に、沿面距離を稼ぐために、断面半円弧状の凸条５１０が、外周面を一回りするように周設されている。凸条５１０は、筒部５０１の外周の中心線に交差する方向に膨出され、適宜な間隔をおいて上下二段に分かれて形成されており、絶縁性を高めるとともに、外周に別の部材を連結されるときに強度を高めるように形成されている。
【００５２】
水切りスカート部５０２は、筒部５０１に連設され、上部から下部に向かうに従ってその径が長くなる截頭円錐状である。
【００５３】
筒部５０１は、内側の接着面５０３を上から下まで同一の径の円筒状凹面を形成され、外側を上から下に至るに従ってその径が長くなり、筒部５０１の全体は下に至るに従って肉厚が厚くなる。
筒部５０１及び水切りスカート部５０２は、図４に示すように、絶縁鍔５００における２か所など、周方向における適数か所にて筒部５０１を構成する円柱及び水切りスカート部５０２を構成する円錐を直径によって二分して切り離されて、平面視半円状の第１分割体６００と第２分割体７００とに分割されている。
その切り離し部で分割された第１分割体６００と第２分割体７００とは、対向し合う切り離し部の端面どうしが、遠隔絶縁操作棒１００の外周面に装着するときに、互いを接し合わせて一体化するための接合面５０５を構成している。
筒部５０１及び水切りスカート部５０２を構成する第１分割体６００と第２分割体７００とは、それぞれが別々に、絶縁性を有する材、例えばゴムで一体成形されている。
【００５４】
第１分割体６００の接合面５０５は、円周方向の一方の縦断端面である一方の第１接合面６０５Ａと、円周方向の他方の縦断端面である第２接合面６０５Ｂとを備える。第１接合面６０５Ａ及び第２接合面６０５Ｂは、絶縁鍔５００の分離線又は面（ＰＬ）を構成する。
第１接合面６０５Ａ及び第２接合面６０５Ｂは、筒部５０１を構成する円柱及び水切りスカート部５０２を構成する円錐の中心に沿った垂直面である。第１接合面６０５Ａの接合面５０５は、筒部５０１の上端から水切りスカート部５０２の下端に亘って連続して凹設された接合凹条５０７を備える。第２接合面６０５Ｂの接合面５０５は、筒部５０１の上端から水切りスカート部５０２の下端に亘って連続して凸設された接合凸条５０９を備える。
接合凹条５０７は、分離面（ＰＬ）より断面Ｌ字状に一段低く形成された段差部を構成し、接合凸条５０９は、分離面（ＰＬ）より断面Ｌ字状に一段高く形成された段差部を構成する。
第１接合面６０５Ａ及び第２接合面６０５Ｂは、シボを刻設されたシボ面で構成されている。而して、第１分割体６００と第２分割体７００とを接合面５０５で接し合わせて接着するときに接着性を良くしている。
【００５５】
第１接合面６０５Ａは、筒部５０１の領域の筒部接合面６０７と水切りスカート部５０２の領域のスカート部接合面６０９とを備える。
筒部接合面６０７は、上下に分かれた２つの、断面円形の上側の柱状ダボ６１１ａと、下側の柱状ダボ６１１ｂとを備える。
柱状ダボ６１１ａは、上の凸条５１０の端において突設され、柱状ダボ６１１ｂは、下の凸条５１０の端に突設されている。
スカート部接合面６０９は、断面楕円形又は長方形の柱状ダボ６１３を備える。柱状ダボ６１３は、水切りスカート部５０２の周方向に突き出し設けられている。
接合凹条５０７は、筒部５０１及び水切りスカート部５０２の外面に沿って略々一定の幅で形成され、柱状ダボ６１１ａ，柱状ダボ６１１ｂ及び柱状ダボ６１３の外側に形成されている。
接合凸条５０９は、筒部５０１及び水切りスカート部５０２の外面に沿って略々一定の幅で形成され、筒状ダボ穴６１９ａ，筒状ダボ穴６１９ｂ及び筒状ダボ穴６２１の外側に形成されている。
【００５６】
第２接合面６０５Ｂは、筒部５０１の領域の筒部接合面６１５と水切りスカート部５０２の領域のスカート部接合面６１７とを備える。
筒部接合面６１５は、上下に分かれた２つの、断面円形の上の筒状ダボ穴６１９ａと下の筒状ダボ穴６１９ｂとを備える。
筒状ダボ穴６１９ａは、凸条５１０の領域において筒部５０１の周方向に突き出し設けられている。筒状ダボ穴６１９ａは、第１分割体６００と第２分割体７００とを接合面５０５で接し合わせたときに、柱状ダボ６１１ａが嵌合する位置に形成され、筒状ダボ穴６１９ｂは、第１分割体６００と第２分割体７００とを接合面５０５で接し合わせたときに、柱状ダボ６１１ｂが嵌合する位置に形成されている。
筒状ダボ穴６１９ａの直径と柱状ダボ６１１ａの直径とは略々同一に形成され、密嵌するように構成され、筒状ダボ穴６１９ｂの直径と柱状ダボ６１１ｂの直径とは略々同一に形成され、密嵌するように構成されている。
スカート部接合面６１７は、断面楕円形又は長方形の筒状ダボ穴６２１を備える。
筒状ダボ穴６２１は、第１分割体６００と第２分割体７００とを接合面５０５で接し合わせたときに、柱状ダボ７１３が嵌合する位置に形成され、筒状ダボ穴６２１の内周面と柱状ダボ７１３の外周面とは略同一に形成され、密嵌するように構成されている。
【００５７】
第１分割体６００と第２分割体７００とは、同一の形状に成形されている。
【００５８】
第１分割体６００の接合面５０５は、円周方向の一方の縦断端面である一方の第１接合面７０５Ａと、円周方向の他方の縦断端面である第２接合面７０５Ｂとを備える。
第１接合面７０５Ａ及び第２接合面７０５Ｂは、筒部５０１を構成する円柱及び水切りスカート部５０２を構成する円錐の中心に沿った垂直面である。第１接合面７０５Ａの接合面５０５は、筒部５０１の上端から水切りスカート部５０２の下端に亘って連続して凹設された接合凹条５０７を備える。第２接合面７０５Ｂの接合面５０５は、筒部５０１の上端から水切りスカート部５０２の下端に亘って連続して凸設された接合凸条５０９を備える。
第１接合面７０５Ａ及び第２接合面７０５Ｂは、シボを刻設されたシボ面で構成されている。而して、第１分割体６００と第２分割体７００とを接合面５０５で接し合わせて接着するときに接着性を良くしている。
【００５９】
第１接合面７０５Ａは、筒部５０１の領域の筒部接合面７０７と水切りスカート部５０２の領域のスカート部接合面７０９とを備える。
筒部接合面７０７は、上下に分かれた２つの、断面円形の上側の柱状ダボ７１１ａと、下側の柱状ダボ７１１ｂとを備える。
柱状ダボ７１１ａは、上の凸条５１０の端において突設され、柱状ダボ７１１ｂは、下の凸条５１０の端に突設されている。
スカート部接合面７０９は、断面楕円形又は長方形の柱状ダボ７１３を備える。柱状ダボ７１３は、水切りスカート部５０２の周方向に突き出し設けられている。
【００６０】
第２接合面７０５Ｂは、筒部５０１の領域の筒部接合面７１５と水切りスカート部５０２の領域のスカート部接合面７１７とを備える。
筒部接合面７１５は、上下に分かれた２つの、断面円形の上の筒状ダボ穴７１９ａと下の筒状ダボ穴７１９ｂとを備える。
筒状ダボ穴７１９ａは、凸条５１０の領域において筒部５０１の周方向に突き出し設けられている。筒状ダボ穴７１９ａは、第１分割体６００と第２分割体７００とを接合面５０５で接し合わせたときに、柱状ダボ７１１ａが嵌合する位置に形成され、筒状ダボ穴７１９ｂは、第１分割体６００と第２分割体７００とを接合面５０５で接し合わせたときに、柱状ダボ７１１ｂが嵌合する位置に形成されている。
筒状ダボ穴７１９ａの直径と柱状ダボ７１１ａの直径とは略々同一に形成され、密嵌するように構成され、筒状ダボ穴７１９ｂの直径と柱状ダボ７１１ｂの直径とは略々同一に形成され、密嵌するように構成されている。
スカート部接合面７１７は、断面楕円形又は長方形の筒状ダボ穴７２１を備える。
筒状ダボ穴７２１は、第１分割体６００と第２分割体７００とを接合面５０５で接し合わせたときに、柱状ダボ６１３が嵌合する位置に形成され、筒状ダボ穴７２１の内周面と柱状ダボ６１３の外周面とは略同一に形成され、密嵌するように構成されている。
【００６１】
第１分割体６００の第１接合面６０５Ａと第２分割体７００の第２接合面７０５Ｂとを接合し、第１分割体６００の第２接合面６０５Ｂと第２分割体７００の第１接合面７０５Ａとは、接合面５０５において接合して、遠隔絶縁操作棒１００の外周面を囲繞するように接し合わせられる。
【００６２】
切り離し部５０４が図４及び図７に示す絶縁鍔５００のような二つ割り、三つ割り又は四つ割りなどのように複数であれば、それによる２つ割りなどした第１分割体６００と第２分割体７００とを接合面５０５において寄せ合わせるようにして、遠隔絶縁操作棒１００の外まわりに軸直角方向から筒部５０１を沿わせて環状形態にさせられる。
また、切り離し部５０４は、図１２に示す連続体の絶縁鍔８００のように１つの連続体であっても、切り離し部５０４を弾性的に開くことにより遠隔絶縁操作棒１００に軸直角方向から嵌め合わせた後弾性的に復元させれば、遠隔絶縁操作棒１００の外面に筒部５０１を沿わせて環状形態にすることができる。
【００６３】
絶縁鍔５００は、切り離し箇所の数にかかわらず、筒部５０１の内周の接着面５０３と、第１分割体６００及び第２分割体７００の切り離し部５０４において対向し合う接合面５０５とに接着剤を塗布しておけば、筒部５０１及び水切りスカート部５０２を環状に一体化して、筒部５０１を遠隔絶縁操作棒１００の外面に接着した装着状態とすることができる。
【００６４】
したがって、切り離しによる第１分割体６００及び第２分割体７００は、互いを遠隔絶縁操作棒１００の外面まわりに、図７及び図８に示す矢印Ａの方向に寄せ合わせることにより、遠隔絶縁操作棒１００の外面に他の艤装物があっても邪魔されずに軸直角方向から筒部５０１を沿わせられる。
【００６５】
本件発明の別の実施の形態である連続体の絶縁鍔について、図１２ないし図１４に基づいて、次に説明する。
図１２に示す本件発明の別の実施の形態である連続体の絶縁鍔８００は、第１分割体８２０と第２分割体８２２とが薄肉部８２６とにより連続されており、切り離し部８２４によって左右に分離されるように構成されている。切り離し部８２４によって形成されて第１接合面８０５Ａと第２接合面８０５Ｂとには、柱状ダボ８１１及び柱状ダボ８１３と筒状ダボ穴８１９及び筒状ダボ穴８２１とが形成されている。
すなわち、第１接合面８０５Ａの筒部８０１の領域には、柱状ダボ８１１が形成され、第１接合面８０５Ａの水切りスカート部８０２の領域には、柱状ダボ８１３が形成されている。また、第２接合面８０５Ｂの筒部８０１の領域には、筒状ダボ穴８１９が形成され、第２接合面８０５Ｂの水切りスカート部８０２の領域には、筒状ダボ穴８２１が形成されている。連続体の絶縁鍔８００は、弾性的に開いて遠隔絶縁操作棒１００の外面まわりに嵌め合わせて、図１２に示すように復元させることにより、遠隔絶縁操作棒１００の外面に他の艤装物があっても邪魔されずに軸直角方向から筒部５０１を沿わせられる。
【００６６】
切り離し部８２４は、筒部８０１と水切りスカート部８０２とにおいて、図１３において示すように、位置をずらせて形成してもよい。
又、切り離し部８２４は、図１４に示すように、差し込む構造としてもよい。
図１４の差し込み構造の鍔９００は、筒部９０１と水切りスカート部９０２とを、切り離し部９２４において切り離され、左右に分離された第１分割体９２０と第２分割体９２２とを有している。第１分割体９２０と第２分割体９２２とは、薄肉部により連続されている。第１分割体９２０と第２分割体９２２とは、それぞれが厚さ方向において薄く形成された接合部９０５を有する。
第１分割体９２０は、外側を切り欠かれて薄くした第１接合面９０５Ａを有し、第２分割体９２２は、内側を切り欠かれて薄くした第２接合面９０５Ｂを有している。
第１分割体９２０の第１接合面９０５Ａと第２分割体９２２の第２接合面９０５Ｂとを各々差し込むことにより、鍔９００は環状に一体化される。
【００６７】
切り離し部５０４の接合面５０５の接着、筒部５０１内面の接着面５０３の遠隔絶縁操作棒１００の外面への接着を伴い、図１２で代表して示すように一体の環状体である絶縁鍔５００及び連続体の絶縁鍔８００として装着でき、従来通りのゴム製として対候寿命などにより交換するのが容易かつ短時間に行えるようになる。
切り離し部５０４や遠隔絶縁操作棒１００の外面との間が、雨水の浸み通り経路になることはなく、絶縁限界鍔や水切り鍔として機能する。
【００６８】
絶縁鍔５００の切り離しは、図４において示すように、厚み方向に屈曲した接合面５０５を形成されている。このように、筒部５０１及び水切りスカート部５０２の外面から内面に屈曲した切り離し経路を構成する接合面５０５は、部分的な接着剥離がおこり外部からの雨水の浸み通る原因になっても、切り離し経路の接合面５０５の凹凸化、厚みを上回った接着面積の延長化により、遠隔絶縁操作棒１００の外面に雨水が至るのを抑えられる。
【００６９】
したがって、筒部５０１及び水切りスカート部５０２の外面から内面への切り離し経路を構成する接合面５０５は、その屈曲形態による凹凸化と、厚みを超えた接合面積の延長化とにより、万一の部分的な接着剥離時に雨水の外部からの浸み通りの原因になっても、遠隔絶縁操作棒１００の外面に雨水の到達するのを抑え、筒部５０１内面と遠隔絶縁操作棒１００の外面との間から下方に浸み通る確率を低減させられる。
【００７０】
また、切り離し部５０４が、筒部５０１及び水切りスカート部５０２において、接合凹条５０７及び接合凸条５０９により、変形強度も高まる。切り離し経路の接合面５０５の長さの増大により雨水の外面から内面への浸みこみを防止しやすいし、変形強度の高まりにより接着の剥離を生じにくく耐久性を向上させることをできる。
【００７１】
切り離し部５０４の対向し合う接合面５０５どうしの一方には、接続用のダボ１２を軸方向において分かれた複数か所に一体形成し、他方の接合面５０５には、前記ダボ１２と嵌り合う接続用のダボ穴１３を凹部状に形成している。切り離し部５０４を接着により接続するのに、これらダボ１２及びダボ穴１３の接着剤を介した嵌め合いを行うことで、切り離し部５０４での面滑りを防止され、しかも接着強度を高められるので、第１分割体６００及び第２分割体７００との位置ずれ及びそれによる接着不良を回避し、耐久性を高められる。
【００７２】
さらに、水切りスカート部５０２の内周の周方向複数か所に、図１１に示すような軸線方向にのびる補強リブ１４を先端側から基部１５に向け形成してもよい。このように構成すれば、水切りスカート部５０２は、遠隔絶縁操作棒１００の外面からの張り出しにより外力を受けて、弾性的な変形と復元とを繰り返し、その変形の基部１５に応力を受けやすいのを、軸線方向に向く補強リブ１４によって弾性変形量を抑えられ、結果、必要復元量も抑えられ耐久性が向上する。
【００７３】
また、絶縁鍔５００の筒部５０１は、その内周に、遠隔絶縁操作棒１００の外面に環状に設けられる図１０に示すような位置決め凸条１１０１に嵌り合う位置決め凹条６５６及び位置決め凹条７５６を環状に形成している。位置決め凹条６５６は、筒部５０１の内周面において、軸線と交差する方向に凹むように凹設されている。位置決め凹条６５６は、水平方向に第１接合面６０５Ａから第２接合面６０５Ｂに亘って連続して形成されている。
絶縁鍔５００の周方向において適数か所が切り離されて、筒部５０１及び水切りスカート部５０２が軸方向に連続した、第１分割体６００と第２分割体７００とを遠隔絶縁操作棒１００の外面に装着するときに、筒部５０１内周の環状な位置決め凹条６５６を、遠隔絶縁操作棒１００の外面の環状な位置決め凸条１１０１に嵌め合わせることにより、切り離し部５０４の接合面５０５において軸方向における位置合わせがなされる。また、絶縁限界鍔や水切り鍔としての装着位置を、絶縁鍔５００の遠隔絶縁操作棒１００毎に位置決めすることもできる。
【００７４】
結果、絶縁鍔５００の周方向において適数か所が切り離された、周方向を備えた第１分割体６００と第２分割体７００とを遠隔絶縁操作棒１００の外面に装着するときに、筒部５０１内周の環状な位置決め凹条６５６を、遠隔絶縁操作棒１００の外面の環状な位置決め凸条１１０１に嵌め合わせることにより、切り離し部５０４での軸方向の位置合わせがなされるので食い違いなしに手際よく装着できる。また、絶縁限界鍔や水切り鍔としての装着位置を、絶縁鍔５００の遠隔絶縁操作棒１００毎に位置決めされるので装着位置を特別な計測なしに、送電電圧の違いなどによって違う絶縁限界距離に適正に対応できる。
【００７５】
上記のような絶縁鍔５００は、これを切り離し部５０４の接合面５０５において接着し、筒部５０１の内面において、遠隔絶縁操作棒１００の外面に絶縁限界鍔や水切り鍔として接着を伴い装着した、図１２に示すような基端側遠隔絶縁操作棒１００１及び基端側遠隔絶縁操作棒１００３を提供することができる。
【００７６】
本実施の形態の遠隔絶縁操作具１０００は、３種類の基端側遠隔絶縁操作棒１００１及び基端側遠隔絶縁操作棒１００３と、いずれの基端側遠隔絶縁操作棒１００１及び基端側遠隔絶縁操作棒１００３に対してもその先端に着脱可能に取付けられる１種類の先端側遠隔絶縁操作棒１００５と、先端側遠隔絶縁操作棒１００５の先端に着脱可能に取付けられる２種類の工具１００６及び工具１００７とから構成されている。
【００７７】
先端側遠隔絶縁操作棒１００５は、図１０Ａ及び図１０Ｂに示すように、遠隔操作時に作業者と被作業物との間の絶縁安全距離をとるに十分な長さを有するＦＲＰ製の絶縁パイプ１００９で主構成されている。その先端には工具１００６及び工具１００７を固定するための工具取付具１０１０を有している。その基端には、基端側遠隔絶縁操作棒１００１及び基端側遠隔絶縁操作棒１００３のいずれにも固定されるための被取付具１０１１を有している。
前記絶縁パイプ１００９の中間部位には、水切り鍔１００４，限界鍔１００８として機能する本発明にかかる絶縁鍔５００が取付けられている。
【００７８】
限界鍔１００８は、遠隔絶縁操作棒１００の中間部において、感電事故を防ぐために、人が握ってもよい部分とそれ以外の部分との境界を明確にするために嵌合固定される。
水切り鍔１００４は、降雨対策として、把持部の下部から限界鍔１００８上部との中間部に、嵌合固定されている。
【００７９】
なお、基端側遠隔絶縁操作棒１００１，基端側遠隔絶縁操作棒１００３及び先端側遠隔絶縁操作棒１００５は、ＦＲＰなどの絶縁部材よりなり操作先と手元側との感電に対する安全が図られる。そして、絶縁鍔５００もゴム等の絶縁材料よりなるので、位置決め凸条１０１は、金属や樹脂など剛性の高いものを採用して、絶縁鍔５００を遠隔絶縁操作棒１００の外面にねじ止めなどして、位置決め強度、耐久性を優先して設けるのが好適である。
接着剤としてはエポキシ系など従来から使用されるものでよいが、絶縁鍔５００は、遠隔絶縁操作棒１００の外面に軸方向にスライドさせて所定位置に装着するのでなく、軸直角方向から装着して接着できるので、いわゆる瞬間性接着機能のある接着でも問題なく適用できる。
【産業上の利用可能性】
【００８０】
本発明は、遠隔絶縁操作棒において、艤装物の邪魔なく、軸直角方向から絶縁鍔を装着でき、交換しやすくするのに実用できる。
【符号の説明】
【００８１】
１，５０１，８０１，９０１  筒部
２，５０２，８０２，９０２  水切りスカート部
３，５，５０３  接着面
４，５０４，８２４，９２４  切り離し部．
１１  切り離し経路
１１ａ  クランク型部分
１１ｂ  第１の屈曲部
１１ｃ  第２の屈曲部
１１ｄ  経路入り口
１２  ダボ
１３  ダボ穴
１４  補強リブ
１５  基部
１６  凹条
１００，４００  遠隔絶縁操作棒
１０１，１１０１  位置決め凸条
２００，３００，５００  絶縁鍔
２００ａ  連続体
３００ａ  分割体
３００ｂ  経路内面側
３００ｃ  舌状蓋片
５０５  接合面
５０７  接合凹条
５０９  接合凸条
５１０  凸条
６００  第１分割体
６０５Ａ，７０５Ａ  第１接合面
６０５Ｂ，７０５Ｂ  第２接合面
６０７，６１５，７０７，７１５  筒部接合面
６０９，６１７，７０９，７１７  スカート部接合面
６１１ａ，６１１ｂ，６１３，７１１ａ，７１１ｂ，７１３  柱状ダボ
６１９ａ，６１９ｂ，６２１，７１９ａ，７１９ｂ，７２１  筒状ダボ穴
６５６，７５６  位置決め凹条
７００  第２分割体
８００  連続体
８０５Ａ  第１接合面
８０５Ｂ  第２接合面
８１１，８１３  柱状ダボ
８１９，８２１  筒状ダボ穴
８２０，９２０  第１分割体
８２２，９２２  第２分割体
８２６  薄肉部
９００  鍔
９０５  接合部
９０５Ａ  第１接合面
９０５Ｂ  第２接合面
１０００  遠隔絶縁操作具
１００１，１００３  基端側遠隔絶縁操作棒
１００４  水切り鍔
１００５  先端側遠隔絶縁操作棒
１００６，１００７  工具
１００８  限界鍔
１００９  絶縁パイプ
１０１０  工具取付具
１０１１  被取付具
ｔ１  厚み
ｔ２  増圧み
【図１】
0005869862.tif 000002
【図２Ａ】
0005869862.tif 000003
【図２Ｂ】
0005869862.tif 000004
【図３Ａ】
0005869862.tif 000005
【図３Ｂ】
0005869862.tif 000006
【図４】
0005869862.tif 000007
【図５】
0005869862.tif 000008
【図６】
0005869862.tif 000009
【図７】
0005869862.tif 000010
【図８】
0005869862.tif 000011
【図９】
0005869862.tif 000012
【図１０Ａ】
0005869862.tif 000013
【図１０Ｂ】
0005869862.tif 000014
【図１１】
0005869862.tif 000015
【図１２】
0005869862.tif 000016
【図１３】
0005869862.tif 000017
【図１４】
0005869862.tif 000018